(57)【特許請求の範囲】
【請求項１】
タッチパネルを備える電子機器であって、
前記電子機器とは異なる対象システムの作動開始に関する第１ユーザインタフェース、または前記作動開始以外の前記対象システムの他機能に関する第２ユーザインタフェースを前記タッチパネル上に表示する表示制御部と、
前記タッチパネル上での前記第１ユーザインタフェースまたは前記第２ユーザインタフェースに対する操作を検知する検知部と、
前記検知部により検知された前記操作に応じた指示信号を前記対象システムに送信する指示部と
を備え、
前記検知部が前記第１ユーザインタフェースに対する第１の操作の開始を検知してから、前記指示部が該第１の操作に応じて前記作動開始のための第１の指示信号を前記対象システムに送信するまでの第１の時間が、前記検知部が前記第２ユーザインタフェースに対する第２の操作の開始を検知してから、前記指示部が該第２の操作に応じて前記他機能のための第２の指示信号を前記対象システムに送信するまでの第２の時間より長く、
前記指示部が、前記第１の操作の終了時点から所定の時間待機した後に前記第１の指示信号を送信し、前記第２の操作が終了した場合には前記待機をすることなく前記第２の指示信号を送信し、
前記表示制御部が、前記第１の操作に応じた前記待機が実行されている間に、前記作動開始を前記対象システムに指示したことを示すメッセージを前記タッチパネル上に表示する、
電子機器。
【請求項２】
タッチパネルを備える電子機器であって、
前記電子機器とは異なる対象システムの作動開始に関する第１ユーザインタフェース、または前記作動開始以外の前記対象システムの他機能に関する第２ユーザインタフェースを前記タッチパネル上に表示する表示制御部と、
前記タッチパネル上での前記第１ユーザインタフェースまたは前記第２ユーザインタフェースに対する操作を検知する検知部と、
前記検知部により検知された前記操作に応じた指示信号を前記対象システムに送信する指示部と
を備え、
前記検知部が前記第１ユーザインタフェースに対する第１の操作の開始を検知してから、前記指示部が該第１の操作に応じて前記作動開始のための第１の指示信号を前記対象システムに送信するまでの第１の時間が、前記検知部が前記第２ユーザインタフェースに対する第２の操作の開始を検知してから、前記指示部が該第２の操作に応じて前記他機能のための第２の指示信号を前記対象システムに送信するまでの第２の時間より長く、
前記指示部が、前記第１の操作の終了に応じて前記対象システムとの間の無線通信の信号強度を測定し、該信号強度が所定の閾値以下である場合に前記第１の指示信号を送信する、
電子機器。
【請求項３】
タッチパネルを備える電子機器であって、
前記電子機器とは異なる対象システムの作動開始に関する第１ユーザインタフェース、または前記作動開始以外の前記対象システムの他機能に関する第２ユーザインタフェースを前記タッチパネル上に表示する表示制御部と、
前記タッチパネル上での前記第１ユーザインタフェースまたは前記第２ユーザインタフェースに対する操作を検知する検知部と、
前記検知部により検知された前記操作に応じた指示信号を前記対象システムに送信する指示部と
を備え、
前記検知部が前記第１ユーザインタフェースに対する第１の操作の開始を検知してから、前記指示部が該第１の操作に応じて前記作動開始のための第１の指示信号を前記対象システムに送信するまでの第１の時間が、前記検知部が前記第２ユーザインタフェースに対する第２の操作の開始を検知してから、前記指示部が該第２の操作に応じて前記他機能のための第２の指示信号を前記対象システムに送信するまでの第２の時間より長く、
前記指示部が、前記第１の操作の終了に応じてカメラから対象システムに関する画像を取得し、該画像を取得した後に前記第１の指示信号を送信する、
電子機器。
【請求項４】
前記カメラをさらに備え、
前記指示部が、前記画像と所定のパターンとを比較し、比較結果が所定の条件を満たした後に前記第１の指示信号を送信する、
請求項３に記載の電子機器。
【請求項５】
前記カメラが外部カメラであり、
前記指示部が、前記外部カメラから前記画像を取得したことを契機として前記第１の指示信号を送信する、
請求項３に記載の電子機器。
【請求項６】
前記検知部が前記第１の操作の開始を検知してから該第１の操作の終了を検知するまでの時間が、前記検知部が前記第２の操作の開始を検知してから該第２の操作の終了を検知するまでの時間よりも長くなるように、前記表示制御部が前記第１ユーザインタフェースおよび前記第２ユーザインタフェースを前記タッチパネル上に表示する、
請求項１〜５のいずれか一項に記載の電子機器。
【請求項７】
前記対象システムが、移動体の受電装置へ非接触で送電可能な送電装置を備える非接触給電システムである、
請求項１〜６のいずれか一項に記載の電子機器。
【請求項８】
タッチパネルを備える電子機器により実行される、該電子機器とは異なる対象システムの操作方法であって、
前記対象システムの作動開始に関する第１ユーザインタフェース、または前記作動開始以外の前記対象システムの他機能に関する第２ユーザインタフェースを前記タッチパネル上に表示する表示制御ステップと、
前記タッチパネル上での前記第１ユーザインタフェースまたは前記第２ユーザインタフェースに対する操作を検知する検知ステップと、
前記検知ステップにおいて検知された前記操作に応じた指示信号を前記対象システムに送信する指示ステップと
を含み、
前記検知ステップにおいて前記第１ユーザインタフェースに対する第１の操作の開始を検知してから、前記指示ステップにおいて該第１の操作に応じて前記作動開始のための第１の指示信号を前記対象システムに送信するまでの第１の時間が、前記検知ステップにおいて前記第２ユーザインタフェースに対する第２の操作の開始を検知してから、前記指示ステップにおいて該第２の操作に応じて前記他機能のための第２の指示信号を前記対象システムに送信するまでの第２の時間より長く、
前記指示ステップでは、前記第１の操作の終了時点から所定の時間待機した後に前記第１の指示信号を送信し、前記第２の操作が終了した場合には前記待機をすることなく前記第２の指示信号を送信し、
前記表示制御ステップでは、前記第１の操作に応じた前記待機が実行されている間に、前記作動開始を前記対象システムに指示したことを示すメッセージを前記タッチパネル上に表示する、
対象システムの操作方法。
【請求項９】
タッチパネルを備える電子機器により実行される、該電子機器とは異なる対象システムの操作方法であって、
前記対象システムの作動開始に関する第１ユーザインタフェース、または前記作動開始以外の前記対象システムの他機能に関する第２ユーザインタフェースを前記タッチパネル上に表示する表示制御ステップと、
前記タッチパネル上での前記第１ユーザインタフェースまたは前記第２ユーザインタフェースに対する操作を検知する検知ステップと、
前記検知ステップにおいて検知された前記操作に応じた指示信号を前記対象システムに送信する指示ステップと
を含み、
前記検知ステップにおいて前記第１ユーザインタフェースに対する第１の操作の開始を検知してから、前記指示ステップにおいて該第１の操作に応じて前記作動開始のための第１の指示信号を前記対象システムに送信するまでの第１の時間が、前記検知ステップにおいて前記第２ユーザインタフェースに対する第２の操作の開始を検知してから、前記指示ステップにおいて該第２の操作に応じて前記他機能のための第２の指示信号を前記対象システムに送信するまでの第２の時間より長く、
前記指示ステップでは、前記第１の操作の終了に応じて前記対象システムとの間の無線通信の信号強度を測定し、該信号強度が所定の閾値以下である場合に前記第１の指示信号を送信する、
対象システムの操作方法。
【請求項１０】
タッチパネルを備える電子機器により実行される、該電子機器とは異なる対象システムの操作方法であって、
前記対象システムの作動開始に関する第１ユーザインタフェース、または前記作動開始以外の前記対象システムの他機能に関する第２ユーザインタフェースを前記タッチパネル上に表示する表示制御ステップと、
前記タッチパネル上での前記第１ユーザインタフェースまたは前記第２ユーザインタフェースに対する操作を検知する検知ステップと、
前記検知ステップにおいて検知された前記操作に応じた指示信号を前記対象システムに送信する指示ステップと
を含み、
前記検知ステップにおいて前記第１ユーザインタフェースに対する第１の操作の開始を検知してから、前記指示ステップにおいて該第１の操作に応じて前記作動開始のための第１の指示信号を前記対象システムに送信するまでの第１の時間が、前記検知ステップにおいて前記第２ユーザインタフェースに対する第２の操作の開始を検知してから、前記指示ステップにおいて該第２の操作に応じて前記他機能のための第２の指示信号を前記対象システムに送信するまでの第２の時間より長く、
前記指示ステップでは、前記第１の操作の終了に応じてカメラから対象システムに関する画像を取得し、該画像を取得した後に前記第１の指示信号を送信する、
対象システムの操作方法。
【請求項１１】
タッチパネルを備える電子機器に、
前記電子機器とは異なる対象システムの作動開始に関する第１ユーザインタフェース、または前記作動開始以外の前記対象システムの他機能に関する第２ユーザインタフェースを前記タッチパネル上に表示する表示制御ステップと、
前記タッチパネル上での前記第１ユーザインタフェースまたは前記第２ユーザインタフェースに対する操作を検知する検知ステップと、
前記検知ステップにおいて検知された前記操作に応じた指示信号を前記対象システムに送信する指示ステップと
を実行させ、
前記検知ステップにおいて前記第１ユーザインタフェースに対する第１の操作の開始を検知してから、前記指示ステップにおいて該第１の操作に応じて前記作動開始のための第１の指示信号を前記対象システムに送信するまでの第１の時間が、前記検知ステップにおいて前記第２ユーザインタフェースに対する第２の操作の開始を検知してから、前記指示ステップにおいて該第２の操作に応じて前記他機能のための第２の指示信号を前記対象システムに送信するまでの第２の時間より長く、
前記指示ステップでは、前記第１の操作の終了時点から所定の時間待機した後に前記第１の指示信号を送信し、前記第２の操作が終了した場合には前記待機をすることなく前記第２の指示信号を送信し、
前記表示制御ステップでは、前記第１の操作に応じた前記待機が実行されている間に、前記作動開始を前記対象システムに指示したことを示すメッセージを前記タッチパネル上に表示する、
操作プログラム。
【請求項１２】
タッチパネルを備える電子機器に、
前記電子機器とは異なる対象システムの作動開始に関する第１ユーザインタフェース、または前記作動開始以外の前記対象システムの他機能に関する第２ユーザインタフェースを前記タッチパネル上に表示する表示制御ステップと、
前記タッチパネル上での前記第１ユーザインタフェースまたは前記第２ユーザインタフェースに対する操作を検知する検知ステップと、
前記検知ステップにおいて検知された前記操作に応じた指示信号を前記対象システムに送信する指示ステップと
を実行させ、
前記検知ステップにおいて前記第１ユーザインタフェースに対する第１の操作の開始を検知してから、前記指示ステップにおいて該第１の操作に応じて前記作動開始のための第１の指示信号を前記対象システムに送信するまでの第１の時間が、前記検知ステップにおいて前記第２ユーザインタフェースに対する第２の操作の開始を検知してから、前記指示ステップにおいて該第２の操作に応じて前記他機能のための第２の指示信号を前記対象システムに送信するまでの第２の時間より長く、
前記指示ステップでは、前記第１の操作の終了に応じて前記対象システムとの間の無線通信の信号強度を測定し、該信号強度が所定の閾値以下である場合に前記第１の指示信号を送信する、
操作プログラム。
【請求項１３】
タッチパネルを備える電子機器に、
前記電子機器とは異なる対象システムの作動開始に関する第１ユーザインタフェース、または前記作動開始以外の前記対象システムの他機能に関する第２ユーザインタフェースを前記タッチパネル上に表示する表示制御ステップと、
前記タッチパネル上での前記第１ユーザインタフェースまたは前記第２ユーザインタフェースに対する操作を検知する検知ステップと、
前記検知ステップにおいて検知された前記操作に応じた指示信号を前記対象システムに送信する指示ステップと
を実行させ、
前記検知ステップにおいて前記第１ユーザインタフェースに対する第１の操作の開始を検知してから、前記指示ステップにおいて該第１の操作に応じて前記作動開始のための第１の指示信号を前記対象システムに送信するまでの第１の時間が、前記検知ステップにおいて前記第２ユーザインタフェースに対する第２の操作の開始を検知してから、前記指示ステップにおいて該第２の操作に応じて前記他機能のための第２の指示信号を前記対象システムに送信するまでの第２の時間より長く、
前記指示ステップでは、前記第１の操作の終了に応じてカメラから対象システムに関する画像を取得し、該画像を取得した後に前記第１の指示信号を送信する、
操作プログラム。
【発明の詳細な説明】
【技術分野】
【０００１】
本発明の一側面は、他のシステムを操作するための電子機器、方法、およびプログラムに関する。
【背景技術】
【０００２】
電子機器に搭載されたタッチパネルを介して該電子機器を操作する技術が知られている。この技術の中には、意図しない操作をなるべく防ぐために、タッチパネル上での操作を、実行させようとしている機能に応じて異ならせる仕組みも存在する。例えば下記特許文献１には、タッチペンにより音量を変更することができる音量設定アイコンが記載されている（図７５および図７６）。タッチペンがこの音量設定アイコンの音量小領域をタッチオンした場合には、スライダが該タッチオンの位置に瞬時に移動し、音量が瞬時に小さくなる。一方、タッチペンが音量設定アイコンの音量大領域にタッチオンした場合には、スライダは該タッチオンの位置に移動せず、音量は大きくならない。音量を上げるためには、ユーザはタッチペンをスライダ表示範囲内にタッチさせたままタッチペンを動かす必要がある。
【先行技術文献】
【特許文献】
【０００３】
【特許文献１】特開２０１３−０９３０３９号公報
【発明の概要】
【発明が解決しようとする課題】
【０００４】
特許文献１に記載の技術は、タッチパネルを備える電子機器そのものの機能を制御するものである。タッチパネルを備える電子機器を用いて該電子機器とは別のシステムを操作する技術において、該電子機器上での誤操作を防ぐ仕組みが望まれている。
【課題を解決するための手段】
【０００５】
本発明の一側面に係る電子機器は、タッチパネルを備える電子機器であって、電子機器とは異なる対象システムの作動開始に関する第１ユーザインタフェース、または作動開始以外の対象システムの他機能に関する第２ユーザインタフェースをタッチパネル上に表示する表示制御部と、タッチパネル上での第１ユーザインタフェースまたは第２ユーザインタフェースに対する操作を検知する検知部と、検知部により検知された操作に応じた指示信号を対象システムに送信する指示部とを備え、検知部が第１ユーザインタフェースに対する第１の操作の開始を検知してから、指示部が該第１の操作に応じて作動開始のための第１の指示信号を対象システムに送信するまでの第１の時間が、検知部が第２ユーザインタフェースに対する第２の操作の開始を検知してから、指示部が該第２の操作に応じて他機能のための第２の指示信号を対象システムに送信するまでの第２の時間より長い。
【０００６】
本発明の一側面に係る対象システムの操作方法は、タッチパネルを備える電子機器により実行される、該電子機器とは異なる対象システムの操作方法であって、対象システムの作動開始に関する第１ユーザインタフェース、または作動開始以外の対象システムの他機能に関する第２ユーザインタフェースをタッチパネル上に表示する表示制御ステップと、タッチパネル上での第１ユーザインタフェースまたは第２ユーザインタフェースに対する操作を検知する検知ステップと、検知ステップにおいて検知された操作に応じた指示信号を対象システムに送信する指示ステップとを含み、検知ステップにおいて第１ユーザインタフェースに対する第１の操作の開始を検知してから、指示ステップにおいて該第１の操作に応じて作動開始のための第１の指示信号を対象システムに送信するまでの第１の時間が、検知ステップにおいて第２ユーザインタフェースに対する第２の操作の開始を検知してから、指示ステップにおいて該第２の操作に応じて他機能のための第２の指示信号を対象システムに送信するまでの第２の時間より長い。
【０００７】
本発明の一側面に係る操作プログラムは、タッチパネルを備える電子機器に、電子機器とは異なる対象システムの作動開始に関する第１ユーザインタフェース、または作動開始以外の対象システムの他機能に関する第２ユーザインタフェースをタッチパネル上に表示する表示制御ステップと、タッチパネル上での第１ユーザインタフェースまたは第２ユーザインタフェースに対する操作を検知する検知ステップと、検知ステップにおいて検知された操作に応じた指示信号を対象システムに送信する指示ステップとを実行させ、検知ステップにおいて第１ユーザインタフェースに対する第１の操作の開始を検知してから、指示ステップにおいて該第１の操作に応じて作動開始のための第１の指示信号を対象システムに送信するまでの第１の時間が、検知ステップにおいて第２ユーザインタフェースに対する第２の操作の開始を検知してから、指示ステップにおいて該第２の操作に応じて他機能のための第２の指示信号を対象システムに送信するまでの第２の時間より長い。
【０００８】
このような側面においては、対象システムの作動開始に関する操作が始まってから、電子機器が作動開始を対象システムに指示するまでの時間（第１の時間）が、作動開始以外の機能を対象システムに指示するまでの時間（第２の時間）よりも長い。すなわち、対象システムの作動開始の場面では、ユーザが電子機器上で操作を始めてから実際に電子機器が対象システムに作動開始を指示するまでの時間が、他の機能を対象システムに指示する場合よりも長い。対象システムの作動開始の場面でこのような意図的な時間のずれを設けることで、その作動開始をキャンセルする機会をユーザに与えることができる。ユーザはその時間差の間に対象システム（他のシステム）の作動開始をキャンセルすることができるので、これにより誤操作の防止が可能になる。
【０００９】
他の側面に係る電子機器では、検知部が第１の操作の開始を検知してから該第１の操作の終了を検知するまでの時間が、検知部が第２の操作の開始を検知してから該第２の操作の終了を検知するまでの時間よりも長くなるように、表示制御部が第１ユーザインタフェースおよび第２ユーザインタフェースをタッチパネル上に表示してもよい。作動開始のための操作の時間が長くなるようにユーザインタフェースを設計することで、行っている操作を途中でキャンセルする機会をユーザに提供できる。
【００１０】
他の側面に係る電子機器では、指示部が、第１の操作の終了時点から所定の時間待機した後に第１の指示信号を送信し、第２の操作が終了した場合には待機をすることなく第２の指示信号を送信してもよい。作動開始のための操作の終了から指示信号の送信までの間に時間のずれを設けることで、その作動開始をキャンセルする機会をユーザに与えることができる。
【００１１】
他の側面に係る電子機器では、表示制御部が、第１の操作に応じた待機が実行されている間に、作動開始を対象システムに指示したことを示すメッセージをタッチパネル上に表示してもよい。実際には対象システムに指示信号を送信していない段階から、タッチパネル上では対象システムに指示したことを示すことで、ユーザによる操作に電子機器が反応したことを該ユーザに伝えることができる。これは、電子機器が操作に反応したという安心感をユーザに与えることに貢献する。
【００１２】
他の側面に係る電子機器では、指示部が、第１の操作の終了に応じて対象システムとの間の無線通信の信号強度を測定し、該信号強度が所定の閾値以下である場合に第１の指示信号を送信してもよい。信号強度が所定の閾値以下になるということは、電子機器（ユーザ）が対象システムから一定以上の距離だけ離れたことを意味する。この仕組みにより、対象システムからユーザを離した上で該対象システムを作動させることができる。
【００１３】
他の側面に係る電子機器では、指示部が、第１の操作の終了に応じてカメラから対象システムに関する画像を取得し、該画像を取得した後に第１の指示信号を送信してもよい。対象システムに関する画像を確認する機会をユーザに与えることで、操作対象である対象システムにユーザの注意を向けさせることができる。
【００１４】
他の側面に係る電子機器では、カメラをさらに備え、指示部が、画像と所定のパターンとを比較し、比較結果が所定の条件を満たした後に第１の指示信号を送信してもよい。この仕組みにより、特定の条件下でのみ対象システムを作動させることができる。
【００１５】
他の側面に係る電子機器では、カメラが外部カメラであり、指示部が、外部カメラから画像を取得したことを契機として第１の指示信号を送信してもよい。敢えて、電子機器とは別の外部カメラから画像を取得することで、作動開始のキャンセルが可能な時間を稼ぐことができる。
【００１６】
他の側面に係る電子機器では、対象システムが、移動体の受電装置へ非接触で送電可能な送電装置を備える非接触給電システムであってもよい。この場合には、非接触給電システムを操作するための電子機器上での誤操作を防止することができる。
【発明の効果】
【００１７】
本発明の一側面によれば、他のシステムを操作するための電子機器上での誤操作を防止することができる。
【図面の簡単な説明】
【００１８】
【図１】実施形態に係る携帯端末の適用の例を模式的に示す図である。
【図２】実施形態に係る携帯端末のハードウェア構成を示す図である。
【図３】実施形態に係る携帯端末の機能構成を示す図である。
【図４】開始信号および停止信号の出力の一例を示す図である。
【図５】携帯端末のインタフェースの例を示す図である。
【図６】図５に対応する開始信号および停止信号の出力の例を示す図である。
【図７】開始信号の出力のさらに別の例を示すフローチャートである。
【図８】開始信号の出力のさらに別の例を示すフローチャートである。
【図９】図８に対応する携帯端末のインタフェースの例を示す図である。
【図１０】開始信号の出力のさらに別の例を示すフローチャートである。
【図１１】図１０に対応する携帯端末のインタフェースの例を示す図である。
【図１２】停止信号の出力の例を示すフローチャートである。
【図１３】実施形態に係る操作プログラムの構成を示す図である。
【発明を実施するための形態】
【００１９】
以下、添付図面を参照しながら本発明の実施形態を詳細に説明する。なお、図面の説明において同一または同等の要素には同一の符号を付し、重複する説明を省略する。
【００２０】
図１〜図３を参照しながら、実施形態に係る電子機器の機能および構成を説明する。電子機器は、対象システムを操作するための機器である。電子機器の例として、スマートフォン（高機能携帯電話機）や携帯情報端末（ＰＤＡ）、タブレットなどの携帯端末と、カーナビゲーションシステムと、携帯型または据置型のパーソナル・コンピュータとが挙げられる。しかし、電子機器の種類はこれらに限定されるものではない。本実施形態では電子機器の例として携帯端末１０を示す。
【００２１】
対象システムとは、電子機器とは異なる（言い換えると、電子機器とは独立した）機器、装置、またはコンピュータ・システムである。対象システムは、電子機器からの信号を受信して、その信号に応じて動作する機能を有する。なお、対象システムは電子機器からの信号を要することなく自機の入力装置からの指示に従って動作してもよい。
【００２２】
本実施形態では対象システムの例として非接触給電システム９０を示す。非接触給電システム９０は、送電装置９１と受電装置９２とを備え、磁界共鳴方式や電磁誘導方式などのコイル間の磁気結合を利用して送電装置９１から受電装置９２に非接触で電力を供給するためのシステムである。送電装置９１は送電電力変換装置（例えば整流回路やＤＣ／ＤＣコンバータ、インバータ回路など）９１ａおよび送電コイル装置９１ｂを備える。送電装置９１は例えば充電ステーションに設置される。受電装置９２は受電コイル装置９２ａおよび受電電力変換装置（例えば整流回路やＤＣ／ＤＣコンバータなど）９２ｂを備え、移動体Ｖに搭載される。受電装置９２に送られた電力は移動体Ｖのバッテリ９３に蓄積される。送電装置９１および受電装置９２はいずれも、プロセッサ、メモリ、入出力インタフェース、通信インタフェースなどのハードウェア要素を備える。なお、電力を非接触で伝送する方式は、磁界共鳴方式および電磁誘導方式に限定されものではなく、電界結合方式や電波方式などの他の方式であってもよい。
【００２３】
なお、移動体とは、人または物をある場所から別の場所へ輸送する機器である。本実施形態では移動体の例としてバッテリ付きの自動車を示すが、移動体の種類は何ら限定されるものではない。例えば、移動体はバイク、自転車、電車、水上航走体、水中航走体、または飛行機でもよい。したがって、移動体が進む経路は陸路でも水路でも空路でもよい。
【００２４】
電子機器には、対象システムを操作する機能を有するアプリケーション・プログラム（以下では「操作用アプリケーション」という）が予めインストールされる。携帯端末１０にインストールされる操作用アプリケーションは、移動体Ｖのバッテリ９３の充電の開始または停止を非接触給電システム９０に指示することが可能である。携帯端末１０は無線ＬＡＮなどの通信ネットワークを介して送電装置９１に所定の指示信号を送信し、送電装置９１はその指示信号に従って動作する。この仕組みにより、ユーザは携帯端末１０を操作して非接触給電システム９０を操作することができ、より具体的には、移動体Ｖのバッテリ９３の充電を開始または停止させることができる。
【００２５】
図２は携帯端末１０の一般的なハードウェア構成を示す。携帯端末１０はプロセッサ１０１、主記憶部１０２、補助記憶部１０３、通信制御部１０４、タッチパネル１０５、およびカメラ１０６を備える。プロセッサ１０１は、オペレーティングシステムおよびアプリケーション・プログラムを実行する電子部品である。主記憶部１０２は、実行されるプログラムおよびデータを一時的に記憶する電子部品であり、例えばＲＯＭおよびＲＡＭで構成される。補助記憶部１０３は、これから処理されるデータまたは処理されたデータを恒久的に記憶する電子部品であり、例えばハードディスクやフラッシュメモリなどの記憶装置で構成される。通信制御部１０４は、有線または無線を介して他の機器との間でデータを送受信する電子部品であり、例えばネットワークカードまたは無線通信モジュールで構成される。タッチパネル１０５は、データまたは情報を表示するとともに、物理的接触によるユーザからの入力を受け付ける電子部品である。すなわち、タッチパネル１０５は入力装置および出力装置の双方の役割を担う。カメラ１０６は、自機の周辺環境の画像（静止画または動画）を記録する電子部品である。
【００２６】
図３は携帯端末１０の機能構成を示す。携帯端末１０は機能的構成要素として表示制御部１１、検知部１２、および指示部１３を備える。これらの機能要素は、プロセッサ１０１または主記憶部１０２の上に所定のソフトウェア（後述する操作プログラムＰ１）を読み込ませてそのソフトウェアを実行させることで実現される。プロセッサ１０１はそのソフトウェアに従って通信制御部１０４、タッチパネル１０５、またはカメラ１０６を動作させ、主記憶部１０２または補助記憶部１０３におけるデータの読み出し及び書き込みを行う。処理に必要なデータまたはデータベースは主記憶部１０２または補助記憶部１０３内に格納される。
【００２７】
表示制御部１１は、非接触給電システム９０の操作に必要なユーザインタフェースをタッチパネル１０５上に表示する機能要素である。ユーザインタフェースは、携帯端末１０とユーザとの間で情報をやり取りする仕組みである。本実施形態では、ユーザインタフェースは、携帯端末１０を操作するためのユーザ入力を受け付ける視認可能な図形または文字である。ユーザインタフェースは例えばボタンまたはアイコンで表現されるが、ユーザインタフェースの具体的な表現方法は何ら限定されるものではない。表示制御部１１はユーザインタフェースをタッチパネル１０５上に表示する。ユーザは表示されたユーザインタフェースに対してタップやフリックなどの所定の操作を行うことで携帯端末１０に指示を入力することができる。
【００２８】
表示制御部１１は少なくとも、非接触給電システム９０（対象システム）の作動開始（第１機能）に関する第１ユーザインタフェースと、作動開始以外の対象システムの他機能（第１機能とは異なる第２機能）に関する第２ユーザインタフェースとをタッチパネル上に表示することができる。「対象システムの作動開始」とは、対象システムの機能（例えば、給電）を発揮させるために該対象システムを停止状態から稼働状態に遷移させることである。「作動開始に関する第１ユーザインタフェース」とは、作動すべき機能を発揮させるために必要なユーザインタフェースである。本実施形態では、第１ユーザインタフェースの例として、操作用アプリケーションを起動するためのアイコン（起動アイコン）と、非接触給電システム９０を作動させるためのボタン（充電開始ボタン）とを示す。第２ユーザインタフェースに対応する「他機能」は、それが作動開始以外の対象システムの機能であれば何ら限定されない。本実施形態では、第２ユーザインタフェースの一例として、非接触給電システム９０による充電を止めるためのボタン（充電停止ボタン）を示す。
【００２９】
充電開始ボタンおよび充電停止ボタンはいずれも、起動アイコンの操作により操作用アプリケーションが起動した後にタッチパネル１０５上に表示される。充電開始ボタンおよび充電停止ボタンの表示のタイミングは限定されない。例えば、表示制御部１１はまず、充電停止ボタンを表示させることなく充電開始ボタンをタッチパネル１０５上に表示させ、充電開始ボタンが操作された後に充電開始ボタンから充電停止ボタンへと表示を切り替えてもよい。あるいは、表示制御部１１はこれら二つのボタンを同時にタッチパネル１０５上に表示してもよい。
【００３０】
ユーザが起動アイコンを操作して操作用アプリケーションを起動させると、表示制御部１１は少なくとも充電開始ボタンをタッチパネル１０５上に表示する。その後、表示制御部１１は充電開始ボタンに対するユーザ操作または該操作に応じた携帯端末１０内の制御に従って、その後の画面制御を実行する。後続の画面制御の例として、充電を実際に開始するための更なる表示、充電開始ボタンの制御、または充電停止ボタンの制御が挙げられるが、これらに限定されるものではない。
【００３１】
検知部１２は、タッチパネル１０５上に表示されたユーザインタフェースに対するユーザの操作を検知する機能要素である。ユーザインタフェースに対応する操作の検知とは、タッチパネル上に表示された該ユーザインタフェースに対する物理的接触に起因する事象を検知することである。ユーザインタフェースに対する物理的接触とは、該ユーザインタフェースの表示領域に対応するタッチパネルの部分に指やタッチペンなどの有体物が接触することを意味する。検知される操作の例として、操作の開始（ユーザインタフェースに対する物理的接触の発生）、操作の終了（ユーザインタフェースに対する物理的接触の終了）、および該操作の開始から終了までの間の操作の詳細（タッチパネル上での該物理的接触の位置変化または時間経過）が挙げられる。しかし、検知される操作はこれらに限定されるものではない。検知部１２は、特定の操作を検知する度に、操作されたユーザインタフェースとその操作とを示す検知信号を指示部１３に出力する。
【００３２】
指示部１３は、検知部１２により検知された操作に応じた指示信号を非接触給電システム９０に送信する機能要素である。本実施形態では、指示部１３は指示信号を送信するタイミングを、操作されたユーザインタフェースに応じて変える。具体的には、第２ユーザインタフェース（充電停止ボタン）が操作された場合には、指示部１３は非接触給電システム９０を停止させるための第２の指示信号（以下ではこれを「停止信号」という）を即時に生成および送信する。これに対して、第１ユーザインタフェース（起動アイコンまたは充電開始ボタン）が操作された場合には、指示部１３は非接触給電システム９０を作動させるための第１の指示信号（以下ではこれを「開始信号」という）を、即時にではなく、所定の処理を実行した後に生成および送信する。この結果、第１ユーザインタフェースに対する操作の開始が検知されてから開始信号を非接触給電システム９０に送信するまでの第１の時間は、第２ユーザインタフェースに対する操作の開始を検知してから停止信号を非接触給電システム９０に送信するまでの第２の時間よりも長い。
【００３３】
第１の時間を第２の時間よりも長くするための具体的な手法は限定されない。図４〜図１１を参照しながらその様々な手法を説明する。図４〜図１１はいずれも、電子機器（携帯端末１０）の動作を説明すると共に本実施形態に係る対象システムの操作方法を説明するための図である。図４〜図１１はいずれも、表示制御部１１がタッチパネル１０５上に起動アイコン、充電開始ボタン、または充電停止ボタンを表示した後（すなわち、表示制御ステップの後）の処理を説明するものである。
【００３４】
［待機処理］
指示部１３は開始信号を送信する前に所定の時間だけ待機してもよい。図４はこの処理を説明するための図である。タッチパネル１０５上での充電開始ボタンおよび充電停止ボタンの操作方法および挙動は同じである。例えば、ユーザは充電開始ボタンをタップすることで非接触給電システム９０を作動させることができ、充電停止ボタンをタップすることで非接触給電システム９０を停止させることができる。操作の開始が検知された時点を基準（ｔ＝０）とすると、操作の終了が検知される時点ｔａは充電開始ボタンと充電停止ボタンとの間で同じである。しかし、充電開始ボタンが操作された場合には、指示部１３はその操作の終了時点から所定の時間だけ待機した後（その操作の終了時点から所定の時間だけの待機を実行した後）の時点ｔｂに開始信号を出力する。一方、充電停止ボタンが操作された場合には、指示部１３はそのような待機をすることなく、時点ｔａの直後の時点ｔｃに停止信号を出力する。したがって、ｔｂ＞ｔｃである。
【００３５】
充電開始ボタンの操作に応じた待機が実行されている間に（すなわち、時点ｔａから時点ｔｂまでの間に）、表示制御部１１は、充電停止ボタンをタッチパネル１０５上に表示させることができる。開始信号が出力される前に（時点ｔｂより前に）充電停止ボタンが操作されると、開始信号は出力されない。
【００３６】
また、充電開始ボタンの操作に応じた待機が実行されている間に（すなわち、時点ｔａから時点ｔｂまでの間に）、表示制御部１１は、非接触給電システム９０に作動開始を指示したことを示すメッセージをタッチパネル１０５上に表示してもよい。このメッセージは文字列および図形のうちの少なくとも一方により表されてもよい。このメッセージは携帯端末１０がユーザ操作に反応したことをユーザに示すことを目的とする。
【００３７】
［ユーザインタフェースの設計］
第１の時間が第２の時間よりも長くなるように充電開始ボタンおよび充電停止ボタンを設計してもよい。充電開始ボタンおよび充電停止ボタンの双方についての指示部１３の制御は同じである。しかし、操作開始の検知から操作終了の検知までの時間がこれら二つのボタンで異なるので、結果的に、第１の時間が第２の時間よりも長くなる。
【００３８】
図５は、充電開始のための操作に時間が掛かるインタフェースの例を示す。充電停止ボタン３０は通常のタップ操作を受け付ける。これに対して、充電開始ボタン２０については、パターン１で示すようにスライド操作（矢印Ａを参照）によりボタン２１をスライド領域２２内で往復させる手法を採用してもよい。あるいは、パターン２で示すように複数の（例えば二つの）ボタンを一つずつ順番に押す必要がある手法を採用してもよい。あるいは、パターン３で示すように一つのボタンを複数回（例えば２回）押す必要がある手法を採用してもよい（網掛けは、さらなる押下が必要であることを模式的に示すものである）。なお、図５に示すパターンはあくまでも例であり、インタフェースの表示および制御については様々な変形が考えられる。例えば、パターン１に関し、充電開始ボタンを左右方向にではなく上下方向または斜め方向にスライドさせるようにスライド領域を設計してもよい。また、パターン２に関し、二つの充電開始ボタンを上下に並べたり対角に配置したりしてもよい。また、パターン３に関し、充電開始ボタンの初期表示位置と、一回押された後の表示位置とを異ならせてもよい。
【００３９】
このように、充電開始のための操作に時間が掛かるインタフェースの具体的な設計は限定されない。いずれにしても、図６に示すように、操作の開始が検知された時点を基準（ｔ＝０）とすると、充電開始ボタンの操作の終了が検知される時点ｔｄは、充電停止ボタンの操作の終了が検知される時点ｔｆよりも後である。これに応じて、指示部１３が開始信号を送信する時点ｔｅは、指示部１３が停止信号を送信する時点ｔｇよりも後である。すなわち、ｔｅ＞ｔｇである。ユーザは、充電開始ボタンを操作している途中に（すなわち、時点ｔｄに至るまでに）その操作を止めることで、充電開始をキャンセルすることができる。
【００４０】
［信号強度に基づく判定］
指示部１３は、携帯端末１０と非接触給電システム９０との間の近距離無線通信の信号強度が所定の閾値以下である場合にのみ開始信号を送信してもよい。これは、携帯端末１０を持つユーザが非接触給電システム９０からある程度離れて初めて充電が開始されることを意図するものである。なお、携帯端末１０が送電装置９１に指示信号を送るための通信方式はこの近距離無線通信とは異なる。携帯端末１０と非接触給電システム９０との間で用いられる近距離無線通信の規格は任意に定めてよいが、その例としてＢｌｕｅｔｏｏｔｈ（登録商標）およびＺｉｇＢｅｅ（登録商標）を挙げることができる。この処理のために携帯端末１０と通信する非接触給電システム９０内の装置は限定されない。例えば、指示部１３は携帯端末１０と移動体Ｖとの間の信号強度を測定してもよい（受電装置９２を備える移動体Ｖは非接触給電システム９０の一部といえる）。あるいは、指示部１３は携帯端末１０と送電装置９１との間の信号強度を測定してもよい。
【００４１】
図７は、信号強度に基づいて開始信号の送信の可否を判定する処理を示す。まず、検知部１２が充電開始ボタンの操作の開始を検知し（ステップＳ１１、検知ステップ）、さらに該操作の終了を検知する（ステップＳ１２、検知ステップ）。続いて、指示部１３が、通信制御部１０４が非接触給電システム９０から受信した近距離無線通信の信号強度を測定する（ステップＳ１３）。そして、測定値が閾値以下である場合に（ステップＳ１４においてＹＥＳ）、指示部１３は開始信号を送信する（ステップＳ１５、指示ステップ）。一方、その測定値が閾値より大きい場合には（ステップＳ１４においてＮＯ）、指示部１３は信号強度の測定および判定を再度実行する。なお、指示部１３によるステップＳ１３，Ｓ１４の処理と並行して、表示制御部１１が、非接触給電システム９０または移動体Ｖから離れるようにユーザを促すためのメッセージをタッチパネル１０５上に表示してもよい。この処理で用いられる閾値は任意に設定してよく、例えばその閾値を０とした場合には、指示部１３は、携帯端末１０が近距離無線通信を介して非接触給電システム９０と通信できなくなった場合に初めて開始信号を送信する。
【００４２】
測定値が閾値以下になるまでの間に、表示制御部１１は、充電停止ボタンをタッチパネル１０５上に表示させることができる。その間に充電停止ボタンが操作されると、開始信号は出力されない。この処理に加えてまたは代えて、指示部１３は、測定値が閾値より大きい状況（ステップＳ１４においてＮＯ）が所定の時間以上続く場合に、充電開始を自動的にまたはユーザの指示に応じてキャンセルしてもよい。
【００４３】
［カメラの利用］
指示部１３は、携帯端末１０がカメラ１０６により画像を取得した場合にのみ開始信号を送信してもよい。これは、携帯端末１０を持つユーザが非接触給電システム９０または移動体Ｖの周辺を確認して初めて充電を開始することを意図するものである。
【００４４】
図８は、画像の取得を前提として開始信号を送信する処理を示す。まず、検知部１２が起動アイコンの操作の開始を検知し（ステップＳ２１、検知ステップ）、さらに該操作の終了を検知する（ステップＳ２２、検知ステップ）。続いて、指示部１３が充電開始ボタンを無効状態（ｄｉｓａｂｌｅｄ）で表示させるように表示制御部１１に指示する。これに応じて、表示制御部１１は充電開始ボタンを無効状態でタッチパネル１０５上に表示する（ステップＳ２３）。したがって、この時点ではユーザはその充電開始ボタンを操作することができない。
【００４５】
さらに、指示部１３はカメラ１０６を起動して（ステップＳ２４）、画像（動画または静止画）を取得する（ステップＳ２５）。そして、指示部１３はその画像に基づく判定を行って（ステップＳ２６）、充電を開始できるか否かを判定する。例えば、指示部１３は取得した画像と、予め記憶している基準パターン（例えば、ユーザが所有する移動体Ｖの全体写真）とを比較する。そして指示部１３は、双方の画像が一致した場合には充電を開始できると判定し、双方の画像が一致しない場合には充電を開始できないと判定する。あるいは、指示部１３は画像と所定の基準パターン（例えば人または異物に相当する図形）とを比較する。そして指示部１３は、画像が該基準パターンを含まない場合には充電を開始できると判定し、画像が該基準パターンを含む場合には充電を開始できないと判定する。
【００４６】
充電を開始できると判定した場合には（ステップＳ２７においてＹＥＳ）、指示部１３は充電開始ボタンを有効状態（ｅｎａｂｌｅｄ）に変更する（ステップＳ２８）。これによりユーザは充電開始ボタンを操作することができる。その後、検知部１２が充電開始ボタンの操作の開始および終了を検知すると（ステップＳ２９）、指示部１３は開始信号を出力する（ステップＳ３０、指示ステップ）。一方、充電を開始できないと判定した場合には（ステップＳ２７においてＮＯ）、指示部は画像の取得および判定（ステップＳ２５〜Ｓ２７）を再度実行する。
【００４７】
図８に示す処理において、指示部１３は画像に基づく判定（ステップＳ２６，Ｓ２７）を省略して、カメラ１０６からの画像を取得したことを契機として充電開始ボタンを有効状態に変更してもよい。
【００４８】
図９は、図８に示す開始信号の送信の前提となる画像の取得の例を示す。画像と比較するための基準パターンが移動体Ｖの全体像であるとする。この場合、検知部１２は、カメラ１０６から得られる画像５０が移動体Ｖの全体を含むまでは充電開始ボタン２０を無効状態のままに維持する（図９の上側を参照）。したがって、ユーザはカメラ１０６を移動体Ｖの方に向ける必要がある。その後、カメラ１０６が移動体Ｖの全体を映した場合には、検知部１２はその画像５０とパターンとが一致すると判定して、充電開始ボタン２０を有効状態に変更する（図９の下側を参照）。
【００４９】
充電開始ボタンが有効状態になるまでの間に、表示制御部１１は、充電停止ボタンをタッチパネル１０５上に表示させることができる。その間に充電停止ボタンが操作されると、開始信号は出力されない。この処理に加えてまたは代えて、指示部１３は、カメラ１０６の起動後も充電開始ボタンの無効状態が所定の時間以上続く場合に、充電開始を自動的にまたはユーザの指示に応じてキャンセルしてもよい。
【００５０】
指示部１３は、携帯端末１０が外部カメラ（図示せず）から画像を受信（取得）した場合にのみ開始信号を送信してもよい。この処理も、携帯端末１０を持つユーザが非接触給電システム９０または移動体Ｖの周辺を確認して初めて充電を開始することを意図するものである。「外部カメラ」とは、携帯端末１０（電子機器）に設けられていないカメラ、または、携帯端末１０（電子機器）とは異なる装置が備えるカメラである。外部カメラは限定されず、例えば、充電ステーションに設置されている監視カメラであってもよいし、携帯端末１０とは別の任意のコンピュータに備えられたカメラであってもよい。
【００５１】
図１０は、画像の受信を前提として開始信号を送信する処理を示す。まず、検知部１２が起動アイコンの操作の開始を検知し（ステップＳ３１、検知ステップ）、さらに該操作の終了を検知する（ステップＳ３２、検知ステップ）。続いて、指示部１３が充電開始ボタンを無効状態（ｄｉｓａｂｌｅｄ）で表示させるように表示制御部１１に指示する。これに応じて、表示制御部１１は充電開始ボタンを無効状態でタッチパネル１０５上に表示する（ステップＳ３３）。したがって、この時点ではユーザはその充電開始ボタンを操作することができない。ステップＳ３１〜Ｓ３３は上記のステップＳ２１〜Ｓ２３と同じである。
【００５２】
続いて、指示部１３は外部カメラから画像（動画または静止画）を受信する（ステップＳ３４）。指示部１３は画像要求信号を所定の外部カメラまたは他の装置に送信し、その信号に応じて該外部カメラまたは該他の装置から送られてきた画像を受信する。この受信を契機として、指示部１３は充電開始ボタンを有効状態（ｅｎａｂｌｅｄ）に変更する（ステップＳ３５）。これによりユーザは充電開始ボタンを操作することができる。その後、検知部１２が充電開始ボタンの操作の開始および終了を検知すると（ステップＳ３６）、指示部１３は開始信号を出力する（ステップＳ３７、指示ステップ）。
【００５３】
図１１は、図１０に示す開始信号の送信の前提となる画像の受信（取得）の例を示す。この例では、指示部１３は移動体Ｖの周囲を映した俯瞰画像５１と送電装置９１および受電装置９２を映した拡大画像５２とのうちの少なくとも一方を受信する（図１１は双方を受信する例を示す）。表示制御部１１はこれらの画像をタッチパネル１０５上に表示させる。表示制御部１１はこのような画像の受信（取得）を契機として充電開始ボタン２０を有効状態にする。ユーザは、画像を確認した上で、その充電開始ボタン２０を操作する。
【００５４】
充電開始ボタンが有効状態になるまでの間に、表示制御部１１は、充電停止ボタンをタッチパネル１０５上に表示させることができる。その間に充電停止ボタンが操作されると、開始信号は出力されない。この処理に加えてまたは代えて、指示部１３は、外部カメラから画像を受信しない状態が所定の時間以上続く場合に、充電開始を自動的にまたはユーザの指示に応じてキャンセルしてもよい。
【００５５】
図８〜図１１を参照しながら説明した上記の処理では、起動アイコンが第１ユーザインタフェースに相当する。
【００５６】
［充電停止ボタン］
一方、図１２は充電停止ボタン３０が操作された場合の処理を示す。検知部１２が充電停止ボタンの操作の開始を検知し（ステップＳ４１、検知ステップ）、さらに該操作の終了を検知する（ステップＳ４２、検知ステップ）。指示部１３はこの検知を契機として停止信号を送信する（ステップＳ４３、指示ステップ）。図７および図１２の比較、図８および図１２の比較、または図１０および図１２の比較から明らかなように、開始信号を送信する前には、停止信号を送信する場合には実行しない処理が実行されるので、第１の時間は第２の時間より長い。
【００５７】
上述したユーザインタフェースの設計は、上記の待機処理、信号強度に基づく判定、またはカメラの利用と組み合わせて実装されてもよい。図５に示すパターン２または３とカメラの利用とを組み合わせた場合には、図８（または図１０）に示す処理は次のようになる。すなわち、表示制御部１１は最初は充電開始ボタンを有効状態で表示する。その後、ステップＳ２１，Ｓ２２（またはステップＳ３１，Ｓ３２）において検知部１２が充電開始ボタンに対する１回目の操作を検知すると、ステップＳ２３（またはステップＳ３３）において表示制御部１１が充電開始ボタンをいったん無効状態にする。その後処理が進んでステップＳ２８（またはステップＳ３５）に至ると、表示制御部１１は充電開始ボタンを有効状態に戻す。この一連の処理では充電開始ボタンが第１インタフェースに相当する。
【００５８】
次に、図１３を参照しながら、携帯端末１０を実現するための操作プログラムＰ１を説明する。操作プログラムＰ１は、操作用アプリケーションの少なくとも一部である。
【００５９】
操作プログラムＰ１は、メインモジュールＰ１０、表示制御モジュールＰ１１、検知モジュールＰ１２、および指示モジュールＰ１３を備える。メインモジュールＰ１０は、非接触給電システム９０（対象システム）の操作を統括的に制御する部分である。表示制御モジュールＰ１１、検知モジュールＰ１２、および指示モジュールＰ１３を実行することにより実現される機能はそれぞれ、上記の表示制御部１１、検知部１２、および指示部１３の機能と同様である。
【００６０】
操作プログラムＰ１は、ＣＤ−ＲＯＭやＤＶＤ−ＲＯＭ、半導体メモリなどの有形の記録媒体に固定的に記録された上で提供されてもよい。あるいは、操作プログラムＰ１は、搬送波に重畳されたデータ信号として通信ネットワークを介して提供されてもよい。
【００６１】
以上説明したように、本発明の一側面に係る電子機器は、タッチパネルを備える電子機器であって、電子機器とは異なる対象システムの作動開始に関する第１ユーザインタフェース、または作動開始以外の対象システムの他機能に関する第２ユーザインタフェースをタッチパネル上に表示する表示制御部と、タッチパネル上での第１ユーザインタフェースまたは第２ユーザインタフェースに対する操作を検知する検知部と、検知部により検知された操作に応じた指示信号を対象システムに送信する指示部とを備え、検知部が第１ユーザインタフェースに対する第１の操作の開始を検知してから、指示部が該第１の操作に応じて作動開始のための第１の指示信号を対象システムに送信するまでの第１の時間が、検知部が第２ユーザインタフェースに対する第２の操作の開始を検知してから、指示部が該第２の操作に応じて他機能のための第２の指示信号を対象システムに送信するまでの第２の時間より長い。
【００６２】
本発明の一側面に係る対象システムの操作方法は、タッチパネルを備える電子機器により実行される、該電子機器とは異なる対象システムの操作方法であって、対象システムの作動開始に関する第１ユーザインタフェース、または作動開始以外の対象システムの他機能に関する第２ユーザインタフェースをタッチパネル上に表示する表示制御ステップと、タッチパネル上での第１ユーザインタフェースまたは第２ユーザインタフェースに対する操作を検知する検知ステップと、検知ステップにおいて検知された操作に応じた指示信号を対象システムに送信する指示ステップとを含み、検知ステップにおいて第１ユーザインタフェースに対する第１の操作の開始を検知してから、指示ステップにおいて該第１の操作に応じて作動開始のための第１の指示信号を対象システムに送信するまでの第１の時間が、検知ステップにおいて第２ユーザインタフェースに対する第２の操作の開始を検知してから、指示ステップにおいて該第２の操作に応じて他機能のための第２の指示信号を対象システムに送信するまでの第２の時間より長い。
【００６３】
本発明の一側面に係る操作プログラムは、タッチパネルを備える電子機器に、電子機器とは異なる対象システムの作動開始に関する第１ユーザインタフェース、または作動開始以外の対象システムの他機能に関する第２ユーザインタフェースをタッチパネル上に表示する表示制御ステップと、タッチパネル上での第１ユーザインタフェースまたは第２ユーザインタフェースに対する操作を検知する検知ステップと、検知ステップにおいて検知された操作に応じた指示信号を対象システムに送信する指示ステップとを実行させ、検知ステップにおいて第１ユーザインタフェースに対する第１の操作の開始を検知してから、指示ステップにおいて該第１の操作に応じて作動開始のための第１の指示信号を対象システムに送信するまでの第１の時間が、検知ステップにおいて第２ユーザインタフェースに対する第２の操作の開始を検知してから、指示ステップにおいて該第２の操作に応じて他機能のための第２の指示信号を対象システムに送信するまでの第２の時間より長い。
【００６４】
このような側面においては、対象システムの作動開始に関する操作が始まってから、電子機器が作動開始を対象システムに指示するまでの時間（第１の時間）が、作動開始以外の機能を対象システムに指示するまでの時間（第２の時間）よりも長い。すなわち、対象システムの作動開始の場面では、ユーザが電子機器上で操作を始めてから実際に電子機器が対象システムに作動開始を指示するまでの時間が、他の機能を対象システムに指示する場合よりも長い。対象システムの作動開始の場面でこのような意図的な時間のずれを設けることで、その作動開始をキャンセルする機会をユーザに与えることができる。ユーザはその時間差の間に対象システム（他のシステム）の作動開始をキャンセルすることができるので、これにより誤操作の防止が可能になる。
【００６５】
ユーザにより操作される電子機器とは異なるシステムを制御する場合には、該電子機器そのものの制御とは異なる配慮が必要である。一例として、電子機器が上記実施形態で示す携帯端末である場合には、ユーザはタッチパネル上のユーザインタフェースを容易に操作することができる。あるいは，ユーザは意図せずそのユーザインタフェースを操作してしまうことがある。これらは、ユーザが意図しない、対象システムの作動につながり得る。本発明の一側面は、上記のように対象システムに指示信号を送信するタイミングを工夫することで、電子機器および対象システムに対する誤操作の防止を図るものである。
【００６６】
他の側面に係る電子機器では、検知部が第１の操作の開始を検知してから該第１の操作の終了を検知するまでの時間が、検知部が第２の操作の開始を検知してから該第２の操作の終了を検知するまでの時間よりも長くなるように、表示制御部が第１ユーザインタフェースおよび第２ユーザインタフェースをタッチパネル上に表示してもよい。作動開始のための操作の時間が長くなるようにユーザインタフェースを設計することで、行っている操作を途中でキャンセルする機会をユーザに提供できる。
【００６７】
他の側面に係る電子機器では、指示部が、第１の操作の終了時点から所定の時間待機した後に第１の指示信号を送信し、第２の操作が終了した場合には待機をすることなく第２の指示信号を送信してもよい。作動開始のための操作の終了から指示信号の送信までの間に時間のずれを設けることで、その作動開始をキャンセルする機会をユーザに与えることができる。
【００６８】
他の側面に係る電子機器では、表示制御部が、第１の操作に応じた待機が実行されている間に、作動開始を対象システムに指示したことを示すメッセージをタッチパネル上に表示してもよい。実際には対象システムに指示信号を送信していない段階から、タッチパネル上では対象システムに指示したことを示すことで、ユーザによる操作に電子機器が反応したことを該ユーザに伝えることができる。これは、電子機器が操作に反応したという安心感をユーザに与えることに貢献する。
【００６９】
他の側面に係る電子機器では、指示部が、第１の操作の終了に応じて対象システムとの間の無線通信の信号強度を測定し、該信号強度が所定の閾値以下である場合に第１の指示信号を送信してもよい。信号強度が所定の閾値以下になるということは、電子機器（ユーザ）が対象システムから一定以上の距離だけ離れたことを意味する。この仕組みにより、対象システムからユーザを離した上で該対象システムを作動させることができる。
【００７０】
他の側面に係る電子機器では、指示部が、第１の操作の終了に応じてカメラから対象システムに関する画像を取得し、該画像を取得した後に第１の指示信号を送信してもよい。対象システムに関する画像を確認する機会をユーザに与えることで、操作対象である対象システムにユーザの注意を向けさせることができる。例えば、ユーザは非接触給電システムの周辺に異物または人が存在するか否かを確認することができる。
【００７１】
他の側面に係る電子機器では、カメラをさらに備え、指示部が、画像と所定のパターンとを比較し、比較結果が所定の条件を満たした後に第１の指示信号を送信してもよい。この仕組みにより、特定の条件下でのみ対象システムを作動させることができる。
【００７２】
他の側面に係る電子機器では、カメラが外部カメラであり、指示部が、外部カメラから画像を取得したことを契機として第１の指示信号を送信してもよい。敢えて、電子機器とは別の外部カメラから画像を取得することで、作動開始のキャンセルが可能な時間を稼ぐことができる。
【００７３】
他の側面に係る電子機器では、対象システムが、移動体の受電装置へ非接触で送電可能な送電装置を備える非接触給電システムであってもよい。この場合には、非接触給電システムを操作するための電子機器上での誤操作を防止することができる。
【００７４】
以上、本発明をその実施形態に基づいて詳細に説明した。しかし、本発明は上記実施形態に限定されるものではない。本発明は、その要旨を逸脱しない範囲で様々な変形が可能である。
【００７５】
少なくとも一つのプロセッサにより実行される対象システムの操作方法の処理手順は上記実施形態での例に限定されない。例えば、電子機器は上述したステップ（処理）の一部を省略してもよいし、別の順序で各ステップを実行してもよい。また、上述したステップのうちの任意の２以上のステップが組み合わされてもよいし、ステップの一部が修正又は削除されてもよい。あるいは、電子機器は上記の各ステップに加えて他のステップを実行してもよい。
【００７６】
電子機器内で二つの数値の大小関係を比較する際には、「以上」および「よりも大きい」という二つの基準のどちらを用いてもよく、「以下」および「未満」の二つの基準のうちのどちらを用いてもよい。このような基準の選択は、二つの数値の大小関係を比較する処理についての技術的意義を変更するものではない。
【符号の説明】
【００７７】
１０  携帯端末（電子機器）
９０  非接触給電システム（対象システム）
１０５  タッチパネル
１０６  カメラ
１１  表示制御部
１２  検知部
１３  指示部
２０  充電開始ボタン（第１ユーザインタフェース）
３０  充電停止ボタン（第２ユーザインタフェース）
Ｐ１  操作プログラム
Ｐ１０  メインモジュール
Ｐ１１  表示制御モジュール
Ｐ１２  検知モジュール
Ｐ１３  指示モジュール
【図１】
0006724463.tif 000002
【図２】
0006724463.tif 000003
【図３】
0006724463.tif 000004
【図４】
0006724463.tif 000005
【図５】
0006724463.tif 000006
【図６】
0006724463.tif 000007
【図７】
0006724463.tif 000008
【図８】
0006724463.tif 000009
【図９】
0006724463.tif 000010
【図１０】
0006724463.tif 000011
【図１１】
0006724463.tif 000012
【図１２】
0006724463.tif 000013
【図１３】
0006724463.tif 000014